(57)【要約】      （修正有）【課題】ジャックを加工することなく、ジャックへの接続を確実に保持できるプラグを提供する。【解決手段】オーディオ機器等に設けられたジャックに差し込まれて接続されるプラグ１であり、ジャックに差し込まれるプラグピン３と、プラグピン３の基端側に取り付けられ、配線コードの端部が接続される接続部５と、を有し、プラグピン３に、中心軸方向に弾性変形可能な円形スプリング７を周方向に亘って設けている。【選択図】図１
0003189714.tif 000002
【実用新案登録請求の範囲】
【請求項１】
オーディオ機器等に設けられたジャックに差し込まれて接続されるプラグであって、
前記ジャックに差し込まれて接続され軸方向を有する略円筒状のプラグ端子と、
このプラグ端子の基端側に取り付けられ、配線コードの端部が接続される接続部と、を有し、
前記プラグ端子には、中心軸方向に弾性変形可能な弾性変形部が周方向に亘って設けられている
ことを特徴とするプラグ。
【請求項２】
請求項１記載のプラグにおいて、
前記弾性変形部は、弾性変形時に前記プラグ端子の外径寸法に縮径する略環状に形成され、前記プラグ端子の同心状に取り付けられている
ことを特徴とするプラグ。
【請求項３】
請求項１または２記載のプラグにおいて、
前記プラグ端子は、前記プラグ端子の外周面に設けられた断面略凹状の縮径段部を備え、
前記弾性変形部は、前記プラグ端子の縮径段部に取り付けられている
ことを特徴とするプラグ。
【請求項４】
請求項２記載のプラグにおいて、
前記弾性変形部は、非弾性変形時に前記プラグ端子の外周面より径方向に突出する大きさの略円環状に形成されている
ことを特徴とするプラグ。
【請求項５】
請求項１ないし４のいずれかに記載のプラグにおいて、
前記弾性変形部は、略円環状の本体部と、この本体部の周面の一部が軸方向に切断されて形成された切断部と、を有し、
前記本体部は、軸方向に向けて略円弧状の外周面とされている
ことを特徴とするプラグ。
【考案の詳細な説明】
【技術分野】
【０００１】
本考案は、例えばエレキギター等のオーディオ機器に接続されるプラグに関する。
【背景技術】
【０００２】
従来、この種のプラグとしては、例えば下記特許文献１に記載の構成の単頭プラグが知られている。この単頭プラグは、プラグ端子（プラグピン）に突状のキー部分や凹状の陥没部等を設けて、端子の個数を増やしたり、ジャックに接続した際の固定を確実にしたりしている。
【先行技術文献】
【特許文献】
【０００３】
【特許文献１】特開２００１−６８３１号公報
【考案の概要】
【考案が解決しようとする課題】
【０００４】
しかしながら、上記特許文献１にかかる従来技術によれば、プラグ端子（プラグピン）に突状のキー部分や凹状の陥没部分を設ける等して、ジャックに接続した際の保持を確実にしているものの、これらプラグ端子に設けたキー部分や陥没部分に嵌合される凹状の接点をジャック側に設ける必要がある。このため、プラグ端子の接続を確実に保持するためには、ジャックの加工が必要となるという問題を有している。
【０００５】
そこで本考案は、従来技術における上記問題を解決し、ジャックを加工することなく、ジャックへの接続を確実に保持することができるプラグを提供することを目的とする。
【課題を解決するための手段】
【０００６】
この課題を解決するため、請求項１にかかる本考案は、オーディオ機器等に設けられたジャックに差し込まれて接続されるプラグであって、前記ジャックに差し込まれて接続され軸方向を有する略円筒状のプラグ端子と、このプラグ端子の基端側に取り付けられ、配線コードの端部が接続される接続部と、を有し、前記プラグ端子には、中心軸方向に弾性変形可能な弾性変形部が周方向に亘って設けられていることを特徴とするプラグである。
【０００７】
そして、このように構成したことにより、プラグ端子をジャックに差し込んだ際に、プラグ端子に設けた弾性変形部が中心軸方向に弾性変形する。このため、弾性変形部の中心軸方向の弾性変形によって生じる径方向への弾性力によって、ジャックに対するプラグ端子の接続が保持される。よって、ジャックを加工することなく、プラグ端子のジャックへの接続を確実に保持することができる。
【０００８】
請求項２は、前記弾性変形部は、弾性変形時に前記プラグ端子の外径寸法に縮径する略環状に形成され、前記プラグ端子の同心状に取り付けられていることを特徴とするプラグである。
【０００９】
そして、このように構成したことにより、プラグ端子をジャックに差し込んで弾性変形部を弾性変形させた際に、プラグ端子の同心状に取り付けられた弾性変形部が、プラグ端子の外径寸法ほど縮径する。したがって、プラグ端子をジャックに差し込んだ際に、プラグ端子の外径寸法よりも弾性変形部が径方向に突出し、プラグ端子をジャックへ差し込むことができない等のおそれを無くすことができる。
【００１０】
請求項３は、前記プラグ端子は、前記プラグ端子の外周面に設けられた断面略凹状の縮径段部を備え、前記弾性変形部は、前記プラグ端子の縮径段部に取り付けられていることを特徴とするプラグである。
【００１１】
そして、このように構成したことにより、プラグ端子の外周面に断面略凹状の縮径段部を設け、この縮径段部に弾性変形部を取り付けている。このため、プラグ端子に対する弾性変形部の保持が、簡単な構成で確実に行うことができる。よって、プラグ端子をジャックに差し込んだ際に、プラグ端子から弾性変形部が外れる等のおそれを無くすことができる。
【００１２】
請求項４は、前記弾性変形部は、非弾性変形時に前記プラグ端子の外周面より径方向に突出する大きさの略円環状に形成されていることを特徴とするプラグである。
【００１３】
そして、このように構成したことにより、プラグ端子をジャックに差し込む前の状態、すなわち非弾性変形時においては、弾性変形部がプラグ端子の外周面より径方向に突出する。この状態で、プラグ端子をジャックに差し込んだ際、すなわち弾性変形時においては、弾性変形部がプラグ端子の外径寸法に縮径する。したがって、プラグ端子をジャックに差し込んだ状態において、弾性変形部を確実に弾性変形させることができ、ジャックに対するプラグ端子の接続をより確実に保持することができる。
【００１４】
また、請求項５にかかる本考案は、前記弾性変形部は、略円環状の本体部と、この本体部の周面の一部が軸方向に切断されて形成された切断部と、を有し、前記本体部は、軸方向に向けて略円弧状の外周面とされていることを特徴とするプラグである。
【００１５】
そして、このように構成したことにより、プラグ端子をジャックに差し込んだ際に、弾性変形部の切断部が閉じるように本体部が弾性変形し、この弾性変形部の外周面のうちの軸方向の略中心部がジャックに保持される。したがって、弾性変形部の本体部の軸方向の略中心位置をジャックに保持させることができ、ジャックに対する弾性変形部の接触面積を広くすることができる。よって、ジャックに対するプラグ端子の接続をより簡単な構成で確実に保持することができる。
【考案の効果】
【００１６】
本考案によれば、弾性変形部の中心軸方向の弾性変形にて生じる径方向への弾性力によって、ジャックに対するプラグ端子の接続が保持される。よって、ジャックを加工することなく、プラグ端子のジャックへの接続を確実に保持することができる。そして、前述した以外の課題、構成および効果は、以下の実施形態の説明より明らかにされる。
【図面の簡単な説明】
【００１７】
【図１】本考案の一実施形態に係るプラグを示す側面図である。
【図２】上記プラグをジャックに差し込む前の状態を示す断面図である。
【図３】上記プラグをジャックに差し込んだ状態を示す断面図である。
【考案を実施するための形態】
【００１８】
本考案の一実施形態のプラグについて、図１ないし図３を参照して説明する。図１は、本考案の一実施形態に係るプラグを示す側面図である。図２は、プラグをジャックに差し込む前の状態を示す断面図である。図３は、プラグをジャックに差し込んだ状態を示す断面図である。
【００１９】
＜構成＞
本一実施形態に係るプラグ１は、例えばエレキギターやアンプ等のオーディオ機器等に設けられているジャック（ソケット）Ａに差し込まれて接続される、いわゆるＦＩＴプラグであって、図１（ａ）に示すプラグ本体２を備えている。プラグ本体２は、ジャックＡに差し込むための軸方向を有する略円筒状のプラグ端子としてのプラグピン３と、プラグピン３の基端側に設けられ配線コード４の端部が接続される接続部５と、接続部５に嵌合されて取り付けられる図１（ｂ）に示すキャップ材６とを有している。
【００２０】
プラグピン３は、略細長円筒形状の接続端子であって、ジャックＡに挿入されて、オーディオ機器と電気的に接続され、オーディオ機器から出力された電気信号が入力され、または配線コード４側から入力された電気信号をオーディオ機器へ出力する。具体的に、プラグピン３は、本体部としての円柱状のプラグシャフト３ａを備えている。プラグシャフト３ａは、ジャックＡの内周面Ａ１の内径寸法より若干小さな外径寸法に形成されている。
【００２１】
また、プラグシャフト３ａは、導電性を有する素材にて形成され、音声信号を伝送するための一方の端子とされている。そして、プラグシャフト３ａの軸方向の一端部である先端部には、音声信号を伝送するための他方の端子となる端子部３ｂが略円筒状の絶縁材３ｃを介して同心状に取り付けられている。端子部３ｂの外周面には、断面略凹状の係止凹部３ｂａが周方向に亘って設けられている。絶縁材３ｃは、図２に示すように、プラグシャフト３ａの先端側に同心状に挿入されて取り付けられている。
【００２２】
さらに、プラグシャフト３ａの基端側の外周面には、断面略凹状の縮径段部３ｄが設けられている。縮径段部３ｄは、プラグシャフト３ａの周方向に亘って設けられ、プラグシャフト３ａの外周面が周方向に亘って同心状に縮径されて形成されている。そして、この縮径段部３ｄには、弾性変形部としての円形スプリング７が中心軸方向に向けて弾性変形可能に取り付けられている。
【００２３】
円形スプリング７は、略円環状の本体部であるスプリング本体７ａを有し、このスプリング本体７ａの周面の一部が軸方向に亘って切断された割りである切断部７ｂが設けられている。スプリング本体７ａの外周面７ｃは、スプリング本体７ａの軸方向に向けて略円弧状に形成されている。すなわち、この外周面７ｃは、スプリング本体７ａの幅方向の中心部が最も径方向に突出した円弧状とされている。
【００２４】
スプリング本体７ａは、プラグシャフト３ａの縮径段部３ｄに嵌合させて同心状に取り付けた状態で、非弾性変形時に、プラグシャフト３ａの外周面よりも径方向に突出する大きさの略円環状に形成されている。また、スプリング本体７ａは、プラグピン３をジャックＡに差し込んで、ジャックＡの内周面に押圧されて中心軸方向に縮径した状態、すなわち弾性変形時に、プラグシャフト３ａの外径寸法に略一致する外径寸法となるまで縮径する構成とされている。
【００２５】
すなわち、円形スプリング７の切断部７ｂは、非弾性変形時にプラグシャフト３ａの外周面よりもスプリング本体７ａの外周面７ｃを径方向に突出させ、かつ弾性変形時にスプリング本体７ａの外径寸法をプラグシャフト３ａの外径寸法に略一致するまで縮径させる幅寸法とされている。
【００２６】
配線コード４は、２本の同軸ケーブル４ａ，４ｂが内包されたケーブルであり、これら同軸ケーブル４ａそれぞれの一端側がプラグ本体２の接続部５に半田付けされてプラグピン３のプラグシャフト３ａまたは端子部３ｂのいずれかに電気的に接続されている。なお、配線コード４の他端部にもまた、プラグ１が取り付けられている。
【００２７】
接続部５は、プラグピン３を配線コード３に電気的に接続させるための部分であって、プラグピン３の基端側が嵌合されて取り付けられる円筒状の本体部としての接続部本体５ａを備えている。接続部本体５ａの基端側には、外周面にねじ溝５ｂが形成された係合部５ｃが設けられている。係合部５ｃは、後述するキャップ材６の縮径部６ｅの内径寸法に等しい外径寸法に形成され、キャップ材４の先端側に挿入可能とされている。ねじ溝５ｂは、後述するキャップ材６の内ねじ６ｂにねじ止め可能に形成されている。
【００２８】
係合部５ｃの基端側の外周位置には、配線ケーブル４をかしめ固定して位置決めしつつ一方の同軸ケーブル４ａに電気的に接続させるための第１接続部５ｄが取り付けられている。第１接続部５ｄは、接続部本体５ａ自体を介してプラグピン３のプラグシャフト３ａに電気的に接続されている。係合部５ｃの基端側の中心部には、配線ケーブル４の他方の同軸ケーブル４ｂが半田付けされて電気的に接続される第２接続部５ｅが一体的に設けられている。第２接続部５ｅは、接続部本体５ａおよび絶縁材３ｃに挿入されて取り付けられ、プラグピン３の端子部３ｂに電気的に接続されている。
【００２９】
キャップ材６は、略円筒状に形成されたキャップ本体６ａを備えている。キャップ本体６ａのプラグ本体２に接続される側である先端側の内周面には、内ねじ６ｂが形成されている。キャップ本体６ａの基端側の中央部には、配線コード４を挿通させるための開口部６ｃが形成され、キャップ本体６ａの基端側の外周部は、先端側より経大な円筒状の大径部６ｄが形成されている。大径部６ｄより先端側であるプラグピン３側の部分は、大径部６ｄの外径寸法より小さな外径寸法を有する円筒状の円筒部である縮径部６ｅとされている。縮径部６ｅの大径部６ｄよりの位置の外周面には、外周ねじ溝としての外ねじ６ｆが形成されている。
【００３０】
キャップ材６には、このキャップ材６を接続部５の係合部５ｃに係合させた状態で、プラグピン３の端子部３ｂ側から挿入してキャップ材６の外周面に取り付け可能な略円筒状のカバー部材である飾りスリーブ８が取り付けられている。飾りスリーブ８は、キャップ材６の縮径部６ｅの外径寸法に等しい内径寸法を有するとともに、キャップ材６の経大部６ｄの外径寸法に略等しい外径寸法を有する略円筒状のスリーブ本体８ａを有している。スリーブ本体８ａは、キャップ材６の縮径部６ｅの長さ寸法に等しい長さ寸法に形成されている。スリーブ本体８ａの基端側の内周面には、キャップ材６の外ねじ６ｆにねじ止め固定させるための内周ねじ溝としての内ねじ８ｂが形成されている。スリープ本体８ａの外周面は、種々のデザインを付すことができるような平坦な円筒面とされ表装部８ｃとされている。
【００３１】
一方、ジャックＡは、プラグ１のプラグピン３が差し込まれて嵌合されるジャック本体Ａ２と、このジャック本体Ａ２にプラグピン３を差し込んだ状態で、プラグピン３の先端部に設けられている端子部３ｂに電気的に接続される端子片部Ａ３とを備えている。そして、ジャック本体Ａ２は、プラグ１のプラグシャフト３ａの外径寸法に略等しい内径寸法の内周面Ａ１を有している。
【００３２】
ここで、プラグ１は、円形スプリング７を弾性変形させる前の状態（非弾性変形状態）で、円形スプリング７の外周面７ｃの軸方向の各端部の外径寸法が、ジャック本体Ａ２の内径寸法より若干小さく、かつ円形スプリング７の外周面７ｃの軸方向の中心部の外径寸法が、ジャック本体Ａ２の内径寸法より若干大きく設計されている。また、プラグ１は、プラグピン３をジャック本体Ａ２に差し込んで嵌合させて、円形スプリング７を内径方向に縮径させた状態（弾性変形状態）で、円形スプリング７の外周面７ｃの軸方向の中心部の外径寸法が、ジャック本体Ａ２の内径寸法に略等しくなるまで弾性変形するように、プラグピン３の縮径段部３ｄの外径寸法、円形スプリング７の軸方向の中心部の厚さ寸法、および切断部７ｂの幅寸法等が調整されている。
【００３３】
ジャックＡの端子片部Ａ３は、ジャック本体Ａ２にプラグ１のプラグピン３を差し込み、プラグピン３の縮径段部３ｄに取り付けられた円形スプリング７を弾性変形させてジャック本体Ａ２に内嵌合させ、円形スプリング７の弾性力にてジャック本体Ａ２に対するプラグピン３の嵌合を保持させた状態で、プラグピン３の先端部に設けられている端子部３ｂの係止凹部３ｂａに嵌合されて係止される形状とされている。
【００３４】
＜組立動作＞
次に、上記一実施形態のプラグ１の組立動作について、図１および図２を参照して、より詳細に説明する。
【００３５】
まず、キャップ材６の大径部６ｄ側から、配線コード４の一端側を挿入し、この配線コード４の一端部を、接続部５の第１接続部５ｄにて挟んでかしめ固定する。そして、この配線コード４の一方の同軸ケーブル４ａの端部を、接続部５の第１接続部５ｄの中間部に半田付けして電気的かつ機械的に接続させる。また同時に、配線コード４の他方の同軸ケーブル４ｂの端部を、接続部５の第２接続部５ｅの端部に半田付けして電気的かつ機械的に接続させる。
【００３６】
この状態で、キャップ材６を接続部５側に移動していき、このキャップ材６の内ねじ６ｂを、接続部５のねじ溝５ｂにねじ止めさせて固定させる。
【００３７】
次いで、飾りスリーブ８の内ねじ８ｂが設けられている側である基端側から、プラグピン３の先端側を挿入していき、プラグピン３および接続部５を挿通させ、図２に示すように、飾りスリーブ８をキャップ材６に嵌合させ、この飾りスリーブ８の内ねじ８ｂをキャップ材６の外ねじ６ｆにねじ止めさせる。この結果、キャップ材６の縮径部６ｅの全体が飾りスリーブ８にて覆われる。
【００３８】
さらに、飾りスリーブ８を回転させて、この飾りスリーブ８の内ねじ８ｂによるキャップ材６の外ねじ６ｆへのねじ止めを外すことにより、飾りスリーブ８をプラグピン３側へスライドさせて容易に取り外すことができる。
【００３９】
この結果、プラグ本体２の接続部５に配線ケーブル４の端部を接続し、この配線ケーブル４の端部をキャップ材６にて覆い接続部５にねじ止めさせた状態のまま、飾りスリーブ８の取り付けおよび取り外しを容易に行うことができる。よって、飾りスリーブ８をキャップ材６から取り外しても、キャップ材６がプラグ本体２に取り付けられ、プラグ１に対する配線ケーブル４の電気的な接続箇所が露出しない。したがって、種々の異なるデザインおよび色彩が表装部８ｃに施された複数の飾りスリーブ８を予め用意しておくことにより、分解等することなく、利用者の希望に沿ったデザイン等の表装部８ｃを有する飾りスリーブ６に容易に交換することができるから、利用者の使い勝手を向上させることができる。
【００４０】
また、飾りスリーブ８をキャップ材６に取り付けることにより、キャップ材６の縮径部６ｅに飾りスリーブ８を嵌合させて取り付けることができ、この縮径部６ｅの全体を飾りスリーブ８にて覆うことができるから、飾りスリーブ８をキャップ材６の縮径部６ｅに取り付けることにより、このキャップ材６の審美性を向上でき、利用者の使い勝手を向上できる。
【００４１】
さらに、飾りスリーブ８は、キャップ材６の大径部６ｄより先端側の縮径部６ｅのみに取り付けられるため、このキャップ材６の大径部６ｄを押えつつ飾りスリーブ８の取り付けおよび取り外しができるとともに、飾りスリーブ８の取り付け位置が明確になり、飾りスリーブ８の表装部８ｃのデザインを、キャップ材６の大径部６ｄの形状およびデザインを考慮したデザインとすることにより、キャップ材６の審美性をより向上でき、利用者の使い勝手を向上させることができる。
【００４２】
＜接続動作＞
次に、上記一実施形態のプラグ１の接続動作について、図２および図３を参照して、より詳細に説明する。
【００４３】
まず、配線コード４の一端側に取り付けられたプラグ１のプラグピン３を、例えばアンプ等に設けられた所定のジャックＡのジャック本体Ａ２に差し込んで嵌合させる。
【００４４】
このとき、プラグピン３の縮径段部３ｄに取り付けられた円形スプリング７の外周面７ｃがジャック本体Ａ２の内周面Ａ１に押圧され、この円形スプリング７の切断部７ｂの対向する両縁が接触するまで、すなわちプラグシャフト３ａの外径寸法に略一致するまでスプリング本体３ａが中心軸方向に弾性変形していき縮径される。
【００４５】
また同時に、プラグピン３の先端部に設けられている端子部３ｂにてジャック本体Ａ２の端子片部Ａ３が押圧されて弾性変形され、この端子片部Ａ３に端子部３ｂの係止凹部３ｂａが嵌合して係止され電気的に接続される。
【００４６】
この結果、ジャック本体Ａ２に差し込んだ状態で、円形スプリング７を介してプラグシャフト３ａがジャック本体Ａ２に電気的に接続されるとともに、円形スプリング７の弾性変形による縮径にて生じる径方向への弾性力によって、ジャック本体Ａ１に対するプラグピン３の接続を抜け止め保持することができる。よって、従来のようにジャックＡの内周面Ａ１等の形状を加工等することなく、プラグ１のプラグピン３のジャックＡへの接続を確実に保持することができる。
【００４７】
特に、プラグピン３をジャックＡに差し込んで円形スプリング７を弾性変形させた際に、この円形スプリング７がプラグシャフト３ａの外径寸法ほど縮径する構成としている。このため、プラグピン３をジャックＡに差し込んだ際に、例えば、プラグシャフト３ａの外径寸法よりも円形スプリング７が径方向に突出してしまい、プラグピン３をジャック本体Ａ２の所定位置まで差し込むことができない等のおそれを無くすことができる。同時に、ジャック本体Ａ２の内周面Ａ１に円形スプリング７が係合等し、ジャック本体Ａ２からプラグピン３を引き抜くことができなくなる等のおそれを無くすことができる。
【００４８】
また、プラグシャフト３ａの外周面に断面凹状の縮径段部３ｄを設け、この縮径段部３ｄに円形スプリング７を同心状に嵌合させて保持する構成とし、プラグピン３をジャックＡに差し込む前の状態、すなわち円形スプリング７が弾性変形していない状態において、円形スプリング７の外周面７ｃがプラグシャフト３ａの外周面よりも径方向に突出する構成としている。
【００４９】
このため、プラグシャフト３ａ対する円形スプリング７の保持を、簡単な構成で確実に行うことができるとともに、プラグピン３をジャックＡに差し込んだ際に、プラグシャフト３ａから円形スプリング７が抜けたり、外れたりする等のおそれを無くすことができる。よって、プラグシャフト３ａに対する円形スプリング７の抜け止め、およびジャックＡに対する円形スプリング７の係合防止のそれぞれを両立させることができる。
【００５０】
さらに、プラグピン３をジャック本体Ａ１に差し込んだ際に、円形スプリング７の切断部７ｂの対向する両辺間が閉じるようにスプリング本体７ａが弾性変形し、このスプリング本体７ａの外周面７ｃのうちの軸方向の略中心部が周方向に亘ってジャック本体Ａ１の内周面Ａ１に接触した状態、すなわちスプリング本体７ａとジャック本体Ａ１の内周面Ａ１とが円形スプリング７を介して線接触、ひいては面接触する構成としている。
【００５１】
したがって、円形スプリング７のスプリング本体７ａの軸方向の略中心位置を周方向に亘ってジャックＡに保持させることができ、ジャックＡに対する円形スプリング７の接触面積を広くすることができる。よって、ジャックＡに対するプラグピン３の接続をより簡単な構成で確実に位置決めしつつ保持することができ、ジャックＡに対するプラグピン３の接続の強度を向上することができるとともに、プラグピン３の端子部３ｂの係止凹部３ｂａにジャックＡの端子片部Ａ３を嵌合させてジャック本体Ａ２に対してプラグピン３を抜け止め保持させ、プラグシャフト３ａの一部をジャック本体Ａ２の内周面Ａ１に点接触させる場合に比べ、プラグシャフト３ａを電気的に接続させた際の電気抵抗の低下を図ることができる。
【００５２】
＜その他＞
なお、本考案は前述した実施形態に限定されるものではなく、様々な変形態様が含まれる。例えば、前述した実施形態は、本考案を分りやすく説明するために説明したものであり、本考案は、必ずしも説明した全ての構成を備えるものに限定されるものではない。
【符号の説明】
【００５３】
１      プラグ
２      プラグ本体
３      プラグピン（プラグ端子）
３ａ    プラグシャフト
３ｂ    端子部
３ｂａ  係止凹部
３ｃ    絶縁材
３ｄ    縮径段部
４      配線コード
４ａ，４ｂ  同軸ケーブル
５      接続部
５ａ    接続部本体
５ｂ    ねじ溝
５ｃ    係合部
５ｄ    第１接続部
５ｅ    第２接続部
６      キャップ材
６ａ    キャップ本体
６ｂ    内ねじ
６ｃ    開口部
６ｄ    大径部
６ｅ    縮径部
６ｆ    外ねじ
７      円形スプリング
７ａ    スプリング本体（本体部）
７ｂ    切断部
７ｃ    外周面
８      飾りスリーブ
８ａ    スリーブ本体
８ｂ    内ねじ
８ｃ    表装部
Ａ      ジャック
Ａ１    内周面
Ａ２    ジャック本体
Ａ３    端子片部
【図１】
0003189714.tif 000003
【図２】
0003189714.tif 000004
【図３】
0003189714.tif 000005